(57)【特許請求の範囲】
【請求項１】
両端部が重畳するように折り畳まれている第１電極シート及び第２電極シート；及び複数回折り畳まれ、上側折畳部に前記第１電極シートが挟まれて結合され、下側折畳部に前記第２電極シートが挟まれて結合される第１分離膜を有する基本単位体を含み、
前記基本単位体は、前記第１電極シート及び前記第２電極シートの折り畳まれている部分のうち一部を切断して一部が連結されている二つの第１電極と二つの第２電極にするとともに、第１電極、第１分離膜、第２電極、第１分離膜、第１電極、第１分離膜及び第２電極が順次積層されることを特徴とする二次電池用電極組立体。
【請求項２】
前記第１電極シートは折り畳まれない部分に形成され、第１電極活物質がコーティングされた第１電極部と、折り畳まれている部分に形成されて第１電極活物質がない第１無地部を含み、
前記第１電極シートは、前記第１無地部が折り畳まれることによって二つの第１電極部に分割されることを特徴とする請求項１に記載の二次電池用電極組立体。
【請求項３】
前記第１無地部は、折り畳まれている部分が外側に延長して形成されながら第１電極タブとして用いられることを特徴とする請求項２に記載の二次電池用電極組立体。
【請求項４】
前記第１電極部の先端には、第１電極活物質がない無地面が形成されることを特徴とする請求項２に記載の二次電池用電極組立体。
【請求項５】
前記第２電極シートは折り畳まれない部分に形成され、第２電極活物質がコーティングされた第２電極部と、折り畳まれている部分に形成されて第２電極活物質がない第２無地部を含み、
前記第２電極シートは、前記第２無地部が折り畳まれることによって二つの第２電極部に分割されることを特徴とする請求項１に記載の二次電池用電極組立体。
【請求項６】
前記第２無地部は、第２分離膜の折り畳まれている部分から外側に延長して形成されながら前記第２電極の第２電極タブとして用いられることを特徴とする請求項５に記載の二次電池用電極組立体。
【請求項７】
前記第２電極部の先端には、第２電極活物質がない無地面が形成されることを特徴とする請求項５に記載の二次電池用電極組立体。
【請求項８】
（ａ）中央に無地部を残しておいた状態で両側端部の両面に第１電極活物質及び第２電極活物質をコーティングして第１電極シート及び第２電極シートを製造する段階；
（ｂ）前記（ａ）段階で製造された第１電極シートまたは第２電極シートの両端部にコーティングされた第１電極活物質または第２電極活物質が重畳するように前記無地部を折り畳む段階；
（ｃ）第１分離膜を二回折り畳む段階；
（ｄ）前記（ｃ）段階で折り畳んだ第１分離膜の上側の折り畳まれている部分に前記第１電極シートを挟んで結合し、下側の折り畳まれている部分に前記第２電極シートを挟んで結合して未製品の基本単位体を組み立てる段階；
（ｅ）前記（ｄ）段階で未製品である基本単位体の第１無地部及び第２無地部を切断して第１電極タブ及び第２電極タブを形成し、完成品である基本単位体を製作する段階を含み、
前記基本単位体は、第１電極、第１分離膜、第２電極、第１分離膜、第１電極、第１分離膜及び第２電極が順次積層されることを特徴とする二次電池用電極組立体の製造方法。
【請求項９】
前記（ａ）段階は、第１電極シート及び第２電極シートの中央とともに両側末端に無地部をさらに残しておいた状態で第１電極活物質及び第２電極活物質をコーティングすることを特徴とする請求項８に記載の二次電池用電極組立体の製造方法。
【請求項１０】
前記（ｄ）段階で折り畳まれた第１無地部または第２無地部は、第１分離膜の折り畳まれている部分に結合されることなく外側に位置することを特徴とする請求項８に記載の二次電池用電極組立体の製造方法。
【請求項１１】
前記（ｅ）段階は、前記第１無地部または前記第２無地部の折り畳まれている部分を幅方向に完全に切断して二つの第１電極または二つの第２電極に分離し、切断された第１無地部または第２無地部は第１電極タブまたは第２電極タブとして用いることを特徴とする請求項８に記載の二次電池用電極組立体の製造方法。
【請求項１２】
前記（ｅ）段階は、前記第１無地部または前記第２無地部の折り畳まれている部分を幅方向に一部を切断し、第１無地部または第２無地部によって連結された二つの第１電極または二つの第２電極に分離し、前記第１無地部または前記第２無地部の第１電極タブまたは第２電極タブとして用いることを特徴とする請求項８に記載の二次電池用電極組立体の製造方法。
【請求項１３】
（ｆ）前記（ｅ）段階で完成された二つ以上の基本単位体を第２分離膜を介在した状態で積層して電極組立体を組み立てる段階をさらに含むことを特徴とする請求項８から請求項１２のいずれか一項に記載の二次電池用電極組立体の製造方法。
【請求項１４】
（ｇ）前記（ｆ）段階で組み立てられた電極組立体の同一側方に露出された第１電極タブ及び第２電極タブを溶接して電極組立体を完成する段階をさらに含むことを特徴とする請求項１３に記載の二次電池用電極組立体の製造方法。
【請求項１５】
前記第１無地部及び前記第２無地部は、レーザを使って切断することを特徴とする請求項８に記載の二次電池用電極組立体の製造方法。
【発明の詳細な説明】
【技術分野】
【０００１】
（関連出願との相互引用）
本出願は、２０１５年６月２３日付韓国特許出願第１０−２０１５−８９２６６号に基づいた優先権の利益を主張し、当該韓国特許出願の文献に開示されている全ての内容は本明細書の一部として含まれる。
【０００２】
（技術分野）
本発明は、二次電池用電極組立体及びその製造方法に関し、特に折り畳まれている第１及び第２電極を折り畳まれている分離膜に結合して電極組立体の構造を単純化した二次電池用電極組立体及びその製造方法に関する。
【背景技術】
【０００３】
一般に、二次電池（ｓｅｃｏｎｄａｒｙ  ｂａｔｔｅｒｙ）は、充電が不可能な一次電池とは違って充電及び放電が可能な電池を称し、このような二次電池は、フォン、ノートパソコン及びカムコーダーなどの先端電子機器の分野で広く用いられている。
【発明の概要】
【発明が解決しようとする課題】
【０００４】
従来の技術に係る二次電池は、正極、分離膜及び負極を含む電極組立体、前記電極組立体とともに電解液が収容されるケースを含む。
【０００５】
一方、最近は、二次電池の使用量の増加に伴って生産性の増大が求められており、よって、生産ラインを増設して生産性を高めている。
【０００６】
しかし、従来の技術に係る二次電池は、生産ラインの増設によって追加費用が大きく発生し、特に設置空間の問題で生産性の増大に限界がある。
【０００７】
本発明は、前述した問題を解決するために案出されたものであって、本発明の目的は、電極組立体を製造する方法を改善して生産性を増大させる傍ら、別途の生産ラインの増設が不要な二次電池の電極組立体及びその製造方法を提供することにある。
【課題を解決するための手段】
【０００８】
前述の課題を解決するための手段として、本発明の第１実施形態に係る二次電池用電極組立体は、両端部が重畳するように折り畳まれている第１及び第２電極シート；及び複数回折り畳まれ、上側折畳部に前記第１電極シートが挟まれて結合され、下側折畳部に前記第２電極シートが挟まれて結合される第１分離膜を有する基本単位体を含み、前記基本単位体は、前記第１及び第２電極シートの折り畳まれている部分を切断して完全に分離された二つの第１電極と二つの第２電極にするとともに、第１電極、第１分離膜、第２電極、第１分離膜、第１電極、第１分離膜及び第２電極が順次積層され得る。
【０００９】
本発明の第２実施形態に係る二次電池用電極組立体は、両端部が重畳するように折り畳まれている第１及び第２電極シート；及び複数回折り畳まれ、上側折畳部に前記第１電極シートが挟まれて結合され、下側折畳部に前記第２電極シートが挟まれて結合される第１分離膜を有する基本単位体を含み、前記基本単位体は、前記第１及び第２電極シートの折り畳まれている部分のうち一部を切断して一部が連結されている二つの第１電極と二つの第２電極にするとともに、第１電極、第１分離膜、第２電極、第１分離膜、第１電極、第１分離膜及び第２電極が順次積層され得る。
【００１０】
本発明の第１及び第２実施形態に係る二次電池用電極組立体の具体的な構成を説明する。
【００１１】
前記第１電極シートは折り畳まれない部分に形成され、第１電極活物質がコーティングされた第１電極部と、折り畳まれている部分に形成されて第１電極活物質がない第１無地部を含み、前記第１電極シートは、前記第１無地部が折り畳まれることによって二つの第１電極部に分割され得る。
【００１２】
前記第１無知部は、折り畳まれている部分を外側に延長して形成されながら第１電極タブとして用いられ得る。
【００１３】
前記第１電極部の先端には、第１電極活物質がない無地面が形成されてよい。
【００１４】
前記第２電極シートは折り畳まれない部分に形成され、第２電極活物質がコーティングされた第２電極部と、折り畳まれている部分に形成されて第２電極活物質がない第２無地部を含み、前記第２電極シートは、前記第２無地部が折り畳まれることによって二つの第２電極部に分割され得る。
【００１５】
前記第２無地部は、第２分離膜の折り畳まれている部分から外側に延長して形成されながら前記第２電極の第２電極タブとして用いられ得る。
【００１６】
前記第２電極部の先端には、第２電極活物質がない無地面が形成されてよい。
【００１７】
前記基本単位体は複数個に設けられ、前記複数個の基本単位体の間には第２分離膜が介在され得る。
【００１８】
前記第２分離膜は、前記基本単位体より大きく形成することができる。
【００１９】
前記多段に積層された複数個の基本単位体は同一側上に第１または第２電極タブが配置され、前記同一の第１または第２電極タブを溶接して固定することができる。
【００２０】
一方、本発明の第１及び第２実施形態に係る二次電池用電極組立体の製造方法は、（ａ）中央に無地部を残しておいた状態で両側端部の両面に第１及び第２電極活物質をコーティングして第１及び第２電極シートを製造する段階；（ｂ）前記（ａ）段階で製造された第１または第２電極シートの両端部にコーティングされた第１または第２電極活物質が重畳するように前記無地部を折り畳む段階；（ｃ）第１分離膜を二回折り畳む段階；（ｄ）前記（ｃ）段階で折り畳んだ第１分離膜の上側の折り畳まれている部分に前記第１電極シートを挟んで結合し、下側の折り畳まれている部分に前記第２電極シートを挟んで結合して未製品の基本単位体を組み立てる段階；（ｅ）前記（ｄ）段階で未製品である基本単位体の第１及び第２無地部を切断して第１及び第２電極タブを形成し、完成品である基本単位体を製作する段階を含み、前記基本単位体は、第１電極、第１分離膜、第２電極、第１分離膜、第１電極、第１分離膜及び第２電極が順次積層され得る。
【００２１】
前記（ａ）段階は、第１及び第２電極シートの中央とともに両側末端に無地部をさらに残しておいた状態で第１及び第２電極活物質をコーティングすることができる。
【００２２】
前記（ｄ）段階で折り畳まれた第１または第２無地部は、第１分離膜の折り畳まれている部分に結合されることなく外側に位置することができる。
【００２３】
前記（ｅ）段階は、前記第１または第２無地部の折り畳まれている部分を幅方向に完全に切断して二つの第１電極または二つの第２電極に分離し、切断された第１または第２無地部は第１または第２電極タブとして用いることができる。
【００２４】
前記（ｅ）段階は、前記第１または第２無地部の折り畳まれている部分を幅方向に一部を切断し、第１または第２無地部によって連結された二つの第１電極または二つの第２電極に分離し、前記第１または第２無地部の第１または第２電極タブとして用いることができる。
【００２５】
（ｆ）前記（ｅ）段階で完成された二つ以上の基本単位体を第２分離膜を介在した状態で積層して電極組立体を組み立てる段階をさらに含むことができる。
【００２６】
（ｇ）前記（ｆ）段階で組み立てられた電極組立体の同一側方に露出された第１及び第２電極タブを溶接して電極組立体を完成する段階をさらに含むことができる。
【００２７】
前記第１及び第２無地部は、レーザを使って切断することができる。
【発明の効果】
【００２８】
本発明は、下記のような効果がある。
【００２９】
第一：折り畳まれている第１及び第２電極部と折り畳まれている第１分離膜を結合した基本単位体を介して電極組立体をなすことにより電極組立体の構造が単純化できるので、電極組立体の生産性を増大させることができるという効果がある。
【００３０】
第二：第１及び第２電極部の折り畳まれている第１及び第２無地部を完全に切断するか一部のみ切断することにより、多段に積層された電極組立体をなすことができる。
【００３１】
第三：第１及び第２電極部の折り畳まれている第１及び第２無地部を電極タブとして用いることにより、別途の電極タブを結合する必要がないので、構造の単純化と費用を節減することができる。
【００３２】
第四：第１及び第２電極部の先端に無地面を形成することにより、対応する電極同士のショートの発生を防止することができる。
【図面の簡単な説明】
【００３３】
【図１】本発明の第１実施形態に係る広げられている基本単位体を示した斜視図である。
【図２】本発明の第１実施形態に係る折り畳まれている基本単位体を示した斜視図である。
【図３】本発明の第１実施形態に係る積層された状態の基本単位体を示した斜視図である。
【図４】図３の断面図である。
【図５】本発明の第１実施形態に係る電極タブの切断前の基本単位体を示した斜視図である。
【図６】本発明の第１実施形態に係る電極タブが形成されている基本単位体を示した斜視図である。
【図７】図６の断面図である。
【図８】本発明の第１実施形態に係る基本単位体を含む電極組立体を示した図である。
【図９】本発明の第１実施形態に係る電極組立体に含まれている電極タブの溶接状態を示した図である。
【図１０】本発明の第１実施形態に係る電極組立体の製造方法を示したフローチャートである。
【図１１】本発明の第２実施形態に係る基本単位体を示した斜視図である。
【図１２】図１１の断面図である。
【図１３】図１２の基本単位体を含む電極組立体を示した図である。
【図１４】本発明の第２実施形態に係る電極組立体に含まれている電極タブの溶接状態を示した図である。
【発明を実施するための形態】
【００３４】
以下、図面を参照しながら、本発明の属する技術分野で通常の知識を有する者が容易に実施することができるよう、本発明の実施形態を詳しく説明する。ところが、本発明は幾多の異なる形態に具現されてよく、ここで説明する実施形態に限定されない。そして、図面において、本発明を明確に説明するため、説明と係わりのない部分は省略し、明細書全体にかけて類似の部分に対しては類似の図面符号を付けた。
【００３５】
１．第１実施形態
［第１実施形態に係る電極組立体］
【００３６】
本発明の第１実施形態に係る電極組立体１０は、図１から図３に示されているところのように、基本単位体１００を含み、基本単位体１００は、折り畳まれている第１電極シート１１０、折り畳まれている第１分離膜１３０及び折り畳まれている第２電極シート１２０が結合される構造を有する。
【００３７】
つまり、基本単位体１００は、図２及び図３に示す通り、両端部が重畳するように折り畳まれている第１及び第２電極シート１１０、１２０と、複数回折り畳まれ、上側折畳部１３１に第１電極シート１１０が挟まれて結合され、下側折畳部１３２に第２電極シート１２０が挟まれて結合される第１分離膜１３０を含む。
【００３８】
第１電極シート１１０は、図１に示されているところのように、電極集電体の上面及び下面の両方に対応されるように第１電極活物質が塗布されながら製造され、図２に示されているところのように、第１電極活物質が重畳するように半分に折り畳まれる。
【００３９】
つまり、第１電極シート１１０は、折り畳まれない部分に形成されて第１電極活物質がコーティングされた第１電極部１１１と、折り畳まれている部分に形成されて第１電極活物質がない第１無地部１１２を含み、第１無地部１１２は基本単位体１００の製造後に電極タブとして用いられ得る。
【００４０】
ここで、第１電極シート１１０は、折り畳まれている部分を切断すれば、第１電極部１１１と第１無地部１１２を有する二つの第１電極に分離することができる。
【００４１】
第２電極シート１２０は、図１に示されているところのように、電極集電体の上面及び下面の両方に対応されるように第２電極活物質が塗布されながら製造され、図２に示されているところのように、第２電極活物質が重畳するように半分に折り畳まれる。
【００４２】
つまり、第２電極シート１２０は、折り畳まれない部分に形成されて第２電極活物質がコーティングされた第２電極部１２１と、折り畳まれている部分に形成されて第２電極活物質がない第２無地部１２２を含み、第２無地部１２２は基本単位体１００の製造後に電極タブとして用いられ得る。
【００４３】
ここで、第２電極シート１２０は、折り畳まれている部分を切断すれば、第２電極部１２１と第２無地部１２２を有する二つの第２電極に分離することができる。
【００４４】
一方、折り畳まれている第１電極シート１１０の両端部には第１電極活物質がない無地面１１３が形成され、さらに、折り畳まれている第２電極シート１２０の両端部には第２電極活物質がない無地面１２３が形成される。つまり、第１及び第２電極シート１１０、１２０の無地面１１３、１２３は、互いに対応される第１及び第２電極シートの端部が接合されながら発生するショートを防止する。
【００４５】
第１分離膜１３０は、図１に示されているところのように、第１及び第２電極シート１１０、１２０の間に介在され、図２に示されているところのように、上面から下面の方向に「ｚ」字の形態に折り畳まれる。
【００４６】
つまり、第１分離膜１３０は、図２に示す通り、「ｚ」字の形態に折り畳まれながら右側に突き出された上側折畳部１３１と、左側に突き出された下側折畳部１３２とが形成され、上側折畳部１３１には折り畳まれている第１電極シート１１０が面密着されるように結合され、下側折畳部１３２には折り畳まれている第２電極シート１２０が面密着されるように結合される。
【００４７】
このような構成を有する基本単位体１００は、図３及び図４に示されているところのように、折り畳まれている第１電極シート１１０、折り畳まれている第１分離膜１３０及び折り畳まれている第２電極シート１２０が結合されながら第１電極、第１分離膜、第２電極、第１分離膜、第１電極、第１分離膜及び第２電極が順次積層される積層構造を有する。
【００４８】
ここで、基本単位体１００は、図５及び図６に示されているところのように、第１及び第２電極シート１１０、１２０の折り畳まれている部分（第１及び第２無地部の折り畳まれている部分）を切断して完全に分離された二つの第１電極と二つの第２電極にすることができ、よって、完全に分離された第１電極、第１分離膜、第２電極、第１分離膜、第１電極、第１分離膜及び第２電極の積層構造を設けることができる。つまり、第１電極、第１分離膜及び第２電極が多段に積層されたスタック型基本単位体を具現することができる。
【００４９】
一方、基本単位体１００は、図５から図７に示す通り、第１及び第２無地部１１２、１２２の折り畳まれている部分を外側に延長して形成し、この延長された部分を第１及び第２電極タブ１１２ａ、１２２ａとして用いることもできる。
【００５０】
つまり、図５から図７に示す通り、第１及び第２電極シート１１０、１２０の折り畳まれている部分（第１及び第２無地部の折り畳まれている部分）を切断するとき、一部が突き出されるように鋸歯状に切断し、この突き出された部分を第１及び第２電極タブ１１２ａ、１２２ａとして用いる。
【００５１】
ここで、第１及び第２無地部１１２、１２２はレーザを使って切断することができ、よって、均一な切断面に第１及び第２無地部１１２、１２２を切断することができる。
【００５２】
一方、本発明に係る電極組立体１０は、複数個の基本単位体１００を積層して設けられてもよい。
【００５３】
つまり、本発明の第１実施形態に係る電極組立体１０は、図７及び図９に示されているところのように、複数個に設けられて多段に積層される基本単位体１００、及び複数個の基本単位体１００の間に介在される第２分離膜２００を含む。
【００５４】
ここで基本単位体１００は、前記で説明した基本単位体と同一の構成と機能を有し、よって、重複される説明は省略する。
【００５５】
このように、本発明に係る電極組立体１０は、複数個の基本単位体１００と第２分離膜２００の積層によってスタック型電極組立体１０を具現することができる。
【００５６】
ここで、多段に積層された複数個の基本単位体１００は、図８に示されているところのように、同一側上に第１または第２電極タブ１１２ａ、１２２ａが配置され、同一の第１または第２電極タブ１１２ａ、１２２ａを溶接して固定力を高める。
【００５７】
一方、第２分離膜２００は基本単位体１００より大きく形成し、よって、第２分離膜２００を基準に対応されるように位置した基本単位体１００の接合を防止してショートの発生を防止することができる。
【００５８】
一方、第１電極は負極であり、第２電極は正極であってよい。勿論、逆であってもよい。
【００５９】
このような構成を有する本発明に係る電極組立体の製造方法を説明する。
【００６０】
［第１実施形態に係る電極組立体の製造方法］
【００６１】
第１実施形態に係る電極組立体の製造方法は、図１０に示されているところのように、（ａ）第１及び第２電極シートを製造する段階、（ｂ）前記（ａ）段階で製造された第１または第２電極シートを折り畳む段階、（ｃ）第１分離膜を二回折り畳む段階、（ｄ）前記（ｃ）段階で折り畳んだ第１分離膜に前記第１及び第２電極シートを挟んで結合し、未製品である基本単位体を組み立てる段階、（ｅ）前記（ｃ）段階で未製品である基本単位体の第１及び第２無地部を切断して第１及び第２電極タブを形成することにより、完成品である基本単位体を製作する段階、（ｆ）前記（ｅ）段階で完成された二つ以上の基本単位体を、第２分離膜を介在した状態で積層して電極組立体を組み立てる段階、及び（ｇ）前記（ｆ）段階で組み立てられた電極組立体の同一側方に露出された第１及び第２電極タブを溶接して電極組立体を完成する段階を含み、よって、第１電極、第１分離膜、第２電極、第１分離膜、第１電極、第１分離膜及び第２電極が順次積層された基本単位体を製造することができる。
【００６２】
つまり、（ａ）段階は、図１に示す通り、電極集電体の上面及び下面の両方に対応されるように第１または第２電極活物質をコーティングして第１または第２電極シート１１０、１２０を製造する。このように製造された第１または第２電極シート１１０、１２０は、中央に第１または第２無地部１１２、１２２が形成され、第１または第２無地部１１２、１２２の両方に第１または第２電極部１１１、１２１が形成される。ここで、第１または第２電極シート１１０、１２０の両末端には電極活物質がない無地面１１３、１２３を形成することができる。
【００６３】
（ｂ）段階は、図２に示す通り、（ａ）段階で製造された第１または第２電極シート１１０、１２０の両端部にコーティングされた第１または第２電極部１１１、１２１が重畳するように第１または第２無地部１１２、１２２を折り畳む。つまり、第１または第２電極シート１１０、１２０を半分に折り畳む。
【００６４】
（ｃ）段階は、図２に示す通り、第１分離膜１３０を「Ｚ」字の形態に二回折り畳む。このとき、同一の大きさに重畳するように折り畳む。よって、第１分離膜１３は上側折畳部１３１と下側折畳部１３２を形成する。
【００６５】
（ｄ）段階は、図３及び図４に示す通り、（ｃ）段階で折り畳んだ第１分離膜１３０の上側折畳部１３１に折り畳まれている第１電極シート１１０を面密着されるように結合し、下側折畳部１３２に折り畳まれている第２電極シート１２０を面密着されるように結合する。そして、重なった方向に加圧して未製品である基本単位体を組み立てる。
【００６６】
一方、（ｄ）段階で折り畳まれた第１または第２無地部１１２、１２２は、第１分離膜１３０の折畳部１３１、１３２に結合されることなく外側に延長されるように位置する。つまり、折り畳まれた第１または第２無地部１１２、１２２は第１分離膜１３０から外側に延長され、この延長された部分は追って電極タブとして用いることができる。
【００６７】
（ｅ）段階は、図５及び図６に示されているところのように、（ｄ）段階で未製品である基本単位体の第１及び第２無地部１１２、１２２を鋸歯状に切断して第１及び第２電極タブ１１２ａ、１２２ａを形成し、よって、基本単位体１００が完成される。
【００６８】
つまり、（ｅ）段階で、第１または第２無地部１１２、１２２の折り畳まれている部分を幅方向に完全に切断して二つの第１電極または二つの第２電極に分離し、よって、完成品である基本単位体１００が完成される。一方、切断された第１または第２無地部１１２、１２２中の突き出された部分は第１または第２電極タブ１１２ａ、１２２ａとして用いる。
【００６９】
ここで、第１及び第２無地部１１２、１２２はレーザを使って切断し、よって、均一な切断を得ることができる。
【００７０】
このように完成された基本単位体１００は、第１電極、第１分離膜、第２電極、第１分離膜、第１電極、第１分離膜及び第２電極が順次積層される構造を有する。
【００７１】
（ｆ）段階は図８を参照し、（ｅ）段階で完成された二つ以上の基本単位体１００を第２分離膜２００を介在した状態で積層して電極組立体１０を組み立てる。
【００７２】
（ｇ）段階は、（ｆ）段階で組み立てられた電極組立体１０の同一側方に露出された第１及び第２電極タブ１１２ａ、１２２ａを溶接して完成品である電極組立体１０を完成する。
【００７３】
このとき、第１及び第２電極タブ１１２ａ、１２２ａはレーザを利用して溶接し、よって、作業性と効率性を高めることができる。
【００７４】
したがって、本発明に係る二次電池用電極組立体１０は、第１電極シート１１０、第１分離膜１３０及び第２電極シート１２０を折り畳んだあと結合する基本単位体１００を含むことによって電極組立体の構造を単純化することができ、よって、作業効率性と費用の節減を図ることができる。
【００７５】
以下、本発明に係る他の実施形態の説明において、前述した実施形態と同一の構成を有する構成符号に対しては同一の構成符号を用い、重複される説明は省略する。
【００７６】
２．第２実施形態
［第２実施形態に係る電極組立体］
【００７７】
第２実施形態に係る電極組立体１０’は、図１１及び図１２に示されているところのように、基本単位体１００’を含み、基本単位体１００’は、両端部が重畳するように折り畳まれている第１及び第２電極シート１１０’、１２０’、複数回折り畳まれ、上側折畳部１３１’に第１電極シート１１０’が結合され、下側折畳部１３２に第２電極シート１２０’が結合される第１分離膜１３０’を含む。
【００７８】
ここで基本単位体１００’は、図１１に示す通り、第１及び第２電極シート１１０’、１２０’の折り畳まれている部分のうち一部を切断して一部が連結されている二つの第１電極と二つの第２電極にするとともに、第１電極、第１分離膜、第２電極、第１分離膜、第１電極、第１分離膜及び第２電極が順次積層される構造を有する。
【００７９】
つまり、図１１に示されているところのように、第１及び第２電極シート１１０’、１２０’の第１及び第２無地部１１２’、１２２’で折り畳まれている部分の中央を除いた両側端部を切断すると、中央を中心に二つの第１電極と二つの第２電極が形成され、切断されていない第１及び第２無地部１１２’、１２２’の折り畳まれている部分は第１または第２電極タブ１１２ａ’、１２２ａ’として用いる。
【００８０】
一方、第２実施形態に係る電極組立体１０’は、図１３に示されているところのように、複数個に設けられて多段に積層される基本単位体１００’と、複数個の基本単位体１００’の間に介在される第２分離膜２００’とを含むことができる。
【００８１】
ここで、多段に積層された複数個の基本単位体１００は、図８に示されているところのように、同一側上に第１または第２電極タブ１１２ａ、１２２ａが配置され、同一の第１または第２電極タブ１１２ａ、１２２ａを溶接して固定力を高める。
【００８２】
したがって、第２実施形態に係る電極組立体１０’は、第１及び第２電極シート１１０’、１２０’が第１または第２電極タブ１１２ａ’、１２２ａ’によって連結され、多数の電極タブの溶接時に作業性を高めることができる。
【００８３】
本発明の範囲は、前記詳細な説明よりは後述する特許請求の範囲によって表され、特許請求の範囲の意味及び範囲、そしてその均等概念から導き出される全ての変更または変形された形態が本発明の範囲に含まれるものと解釈されなければならない。
【図１】
0006557346.tif 000002
【図２】
0006557346.tif 000003
【図３】
0006557346.tif 000004
【図４】
0006557346.tif 000005
【図５】
0006557346.tif 000006
【図６】
0006557346.tif 000007
【図７】
0006557346.tif 000008
【図８】
0006557346.tif 000009
【図９】
0006557346.tif 000010
【図１０】
0006557346.tif 000011
【図１１】
0006557346.tif 000012
【図１２】
0006557346.tif 000013
【図１３】
0006557346.tif 000014
【図１４】
0006557346.tif 000015